(57)【特許請求の範囲】
【請求項１】
開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
駆動伝達部材が、障子を支持する横軸に回転自在に嵌合し障子に固定された軸受と、軸受から径方向外方に突出する状態で設けられたアームと、たて・連動桿に設けられアームと上下方向に遊びを有する状態で係合可能なシフタと、
を有し、
アームとシフタとのうち、何れか一方にピンが設けられおり、他方にピンの上下両側に位置する上下１対のヨークが設けられており、
たて・連動桿は第１の位置と第２の位置と第３の位置とをとることが可能であり、
たて・連動桿が第１の位置に存在する場合には、たて・連動桿は不動のまま、アームがシフタに対して変位し、上下両ヨークの間の範囲でピンが相対変位することで、障子が自然風力で開度を変化することができ、
たて・連動桿が第１の位置から一方向に移動して第２の位置に移動すると、ピンと上下両ヨークのうちの一方のヨークとが当接することでシフタがアームを一方向に押し、障子を閉じることができ、
たて・連動桿が第１の位置から他方向に移動して第３の位置に移動すると、ピンと上下両ヨークのうちの他方のヨークとが当接することでシフタがアームを他方向に押し、障子を全開にすることができる、ことを特徴とする自然風力換気窓。
【請求項２】
障子が、開口枠の室内寄りにおいて竪枠に障子の重心よりも室外側に位置する横軸でもって回動可能に支持され上框の室内側に釣合おもりを設けられ釣合状態で自然換気される開度となるものであり、
たて・連動桿が、見付方向で見て障子と竪枠の間に位置し竪枠に沿って上下動自在に設けられている、
請求項１に記載した自然風力換気窓。
【請求項３】
たて・連動桿が第３の位置を取った際に障子の閉方向の動きを制止する障子の開放維持装置を有することを特徴とする請求項１〜２のうちの何れか１項に記載の自然風力換気窓。
【請求項４】
たて・連動桿は、弾性部材によって一方向に付勢されると共に、他方向に向って弾性部材の弾性力に抗して上昇又は下降する一方端が巻掛伝動媒体を引き又は弛める換気用操作部材に結合された巻掛伝動媒体を介した支板に結合され、巻掛伝動媒体の弛み、引きによりたて・連動桿が上昇又は下降する換気用操作装置を有することを特徴とする請求項１〜３のうちの何れか１項に記載の自然風力換気窓。
【請求項５】
開口枠の下枠に沿って移動自在に設けられ上面にストッパと掛金を有する横・連動桿と、
開口枠の下枠に固定して設けられ前記ストッパと係合して横・連動桿の移動を制止する位置とストッパから放たれて横・連動桿の移動を自由とする解除位置とを取り、障子の下框に設けられたカム部により解除位置とされるトリガーと、
障子の下框に設けられ障子が閉まった際に横・連動桿の移動により掛金と解除可能に係合する受金とトリガーを解除するカム部と、
たて・連動桿が第１の位置から第２の位置となる際に横・連動桿が解除位置となるよう関連動作させる換気用操作装置と、
を有することを特徴とする請求項１〜４のうちの何れか１項に記載の自然風力換気窓。
【請求項６】
横・連動桿が、開口枠の下枠に沿って室内側に移動自在に設けられており、
ストッパが、横・連動桿に固定されており、
掛金が、ストッパとは横・連動桿の長手方向に離れて横・連動桿に固定されており、
トリガーが、下枠に固定されたブラケットに設けたピンに回動可能に支持され、一端に前記ストッパと係脱されるストッパ止めを有し、他端に障子の下框に設けたカム部に作用されるカム作動子を有し、横・連動桿に沿う方向に回動するようにばね付勢されており、
カム部および受金が、障子の下框に設けられており、このうちのカム部が、障子が閉まる際にカム作動子に作用してトリガーを回転させて前記ストッパを解放して横・連動桿を移動自在とするものであり、受金が、横・連動桿と共に移動した掛金に係合するものであり、
換気用操作装置が、たて・連動桿と横・連動桿を関連動作させて、たて・連動桿と横・連動桿を往動又は復動させるものである、
ことを特徴とする請求項５に記載の自然風力換気窓。
【請求項７】
自然風力換気窓において、
横・連動桿に滑車を設けると共に下枠側に横・連動桿に設けた滑車の外側で横・連動桿と離れて下枠側に位置を固定して設けた滑車を有し、
一本の巻掛伝動媒体を横・連動桿に設けた滑車と、下枠側に設けた滑車間にたすき掛けに巻掛けて、巻掛伝動媒体の一端を開口枠側に固定すると共に他方端を換気用操作部材に結合されていることを特徴とする請求項５〜６のうちの何れか１項に記載の自然風力換気窓。
【請求項８】
片側の竪枠に設けられたたて・連動桿と横・連動桿を関連動作させる換気用操作装置と、
他の片側の竪枠に設けられたたて・連動桿が第３の位置を取った際に障子の閉方向の動きを制止する障子の開放維持装置と、
片側の竪枠に設けられたたて・連動桿と横・連動桿と障子の開放維持装置を関連動作させる排煙用操作装置と、
を有することを特徴とする請求項５〜７のうちの何れか１項に記載の自然風力換気窓。
【請求項９】
換気用操作装置は換気用操作部材から巻掛伝動媒体を介してたて・連動桿、横・連動桿に夫々連結され、
排煙用操作装置は排煙用操作部材から巻掛伝動媒体を介して障子の開放維持装置に連結されると共に排煙用操作装置と換気用操作装置が連動することを特徴とする請求項８に記載の自然風力換気窓。
【請求項１０】
障子の開放維持装置は、排煙用操作装置に連結され下枠に平行して移動自在に設けられ、直動カムとドッグを有する上段・連動桿と、
上段・連動桿と平行して移動自在に設けられロック片と上段・連動桿に有するドッグと係脱可能なドッグとを有しコーナーガイドを介して他の片側の竪枠に設けられたたて・連動桿と結合された下段・連動桿と、
下枠に根本を回動自在に設けられ先端に直動カムに従動するカム従動子及びロック片と係脱するストッパを設けられた下枠側アームと、
を有し、
上段・連動桿のドッグが下段・連動桿のドッグと離れる方向に上段・連動桿が移動した際にカム従動子がカムトップからリフト０の位置となる際又はその後に下枠側アームのストッパがロック片に係合し、下段・連動桿を障子の全開位置から閉じる方向への移動を阻止する位置とすることを特徴とする請求項８〜９のうちの何れか１項に記載の自然風力換気窓。
【請求項１１】
障子の開放維持装置が、
カム従動子を上段・連動桿に固定された直動カムに向って付勢すると共にストッパを下段・連動桿に固定されたロック片に係合する方向に下枠側アームを付勢するばねと、
開口枠の下枠に沿って移動自在に平行に設けられた上段・連動桿及び下段・連動桿の相対位置により互に係脱する、上段・連動桿に固定されたドッグと下段・連動桿に固定されたドッグとからなる一対のドッグと、
開口枠の片側の竪枠に設けたたて・連動桿と下段・連動桿を連動可能に結合しているコーナーガイドと、
を有することを特徴とする請求項１０に記載の自然風力換気窓。
【請求項１２】
換気用操作装置と連動して障子の施錠を解除すると共に上段・連動桿で障子の開放維持装置を操作する排煙用操作装置を有することを特徴とする請求項１０〜１１のうちの何れか１項に記載の自然風力換気窓。
【請求項１３】
自然風力換気窓において、
滑車を設けた上段・連動桿を備えると共に下枠側に上段・連動桿に設けた滑車の外側で上段・連動桿に沿った位置に下枠側に位置を固定して設けた滑車を有し、
一本の巻掛伝動媒体を上段・連動桿に設けた滑車と、下枠側に設けた滑車間にたすき掛けに巻掛けて、巻掛伝動媒体の一端を開口枠側に固定すると共に他端を排煙用操作部材に結合されていることを特徴とする請求項１０〜１２のうちの何れか１項に記載の自然風力換気窓。
【請求項１４】
開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
駆動伝達部材が、障子を支持する横軸に回転自在に嵌合し障子に固定された軸受と、軸受から径方向外方に突出する状態で設けられたアームと、たて・連動桿に設けられアームと上下方向に遊びを有る状態で係合可能なシフタと、
を有し、
アームとシフタとのうち、何れか一方にピンが設けられおり、他方にピンの上下両側に位置する上下１対のヨークが設けられており、
たて・連動桿は第１の位置と第２の位置とをとることが可能であり、
たて・連動桿が第１の位置に存在する場合には、たて・連動桿は不動のまま、アームがシフタに対して変位し、上下両ヨークの間の範囲でピンが相対変位することで、障子が自然風力で開度を変化することができ、
たて・連動桿が第１の位置から一方向に移動して第２の位置に移動すると、ピンと上下両ヨークのうちの一方のヨークとが当接することでシフタがアームを一方向に押し、障子を閉じることができることを特徴とする自然風力換気窓。
【請求項１５】
開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
駆動伝達部材が、障子を支持する横軸に回転自在に嵌合し障子に固定された軸受と、軸受から径方向外方に突出する状態で設けられたアームと、たて・連動桿に設けられアームと上下方向に遊びを有する状態で係合可能なシフタと、
を有し、
アームとシフタとのうち、何れか一方にピンが設けられおり、他方にピンの上下両側に位置する上下１対のヨークが設けられており、
たて・連動桿が移動して、ピンと上下両ヨークのうちの片方のヨークとが当接することでシフタがアームを押し、障子を全開にすることができることを特徴とする排煙窓。
【発明の詳細な説明】
【技術分野】
【０００１】
本発明は排煙可能な自然風力換気窓及び排煙窓に関する。
【背景技術】
【０００２】
従来、外開き窓であって自然風力（強風でなく通常の風により生ずる風力）で開度が変化する自然風力換気窓が種々提案されている。この窓によれば通常の風によっては適当な換気が行われる。特許文献１には横軸回転窓において上框の室内側に釣合おもりを設けて横軸を中心とするモーメントにより障子を傾けて内外気の条件により、窓を開いて開度を変え乍自然換気を行うことが提案されている。特許文献２にはメインアーム、サブアーム、障子、開口枠をリンクとする四節連鎖機構として障子の重量でもって換気可能に開く自然風力換気窓が開示されている。
【先行技術文献】
【特許文献】
【０００３】
特許文献１  特開平９−１８４３５３号公報
特許文献２  特開２００３−２４７３７１号公報
【非特許文献】
【０００４】
なし
【発明の概要】
【発明が解決しようとする課題】
【０００５】
特許文献１に記載の発明では自然風力で揺動する障子を閉めて施錠をすることの開示がない。また、障子を大きく開いた位置で開放状態を維持することについて開示がない。特許文献２に記載の発明によれば釣合おもりがないので慣性モーメントが小さく自然風力に対する応答がよく、閉時に騒音が小さい。しかし、構成上障子を大きく開けない。
【０００６】
本発明は障子を自然風力で開閉する位置と、障子を閉めた位置と、障子を排煙のため大きく開く位置と、を選択的に得られる障子の支持構成を備えた自然風力換気窓を提供することを目的とする。
本発明は障子を排煙のため大きく開くことができる部材を有する排煙窓を提供することを目的とする。
【課題を解決するための手段】
【０００７】
本出願に係る第１の発明は、開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
たて・連動桿から障子までの駆動伝達部材が、障子を支持する横軸に回転自在に嵌合し障子に固定された軸受と、軸受から径方向外方に突出する状態で設けられたアームと、たて・連動桿に設けられアームと上下方向に遊びを有する状態で係合可能なシフタと、
を有し、
アームとシフタとのうち、何れか一方にピンが設けられおり、他方にピンの上下両側に位置する上下１対のヨークが設けられており、
たて・連動桿は、第１の位置と第２の位置と第３の位置とをとることが可能であり、
そして、たて・連動桿が第１の位置に存在する場合には、たて・連動桿は不動のまま、アームがシフタに対して変位し、上下両ヨークの間の範囲でピンが相対変位することで、障子が自然風力で開度を変化することができ、たて・連動桿が第１の位置から一方向に移動して第２の位置に移動すると、ピンと上下両ヨークのうちの一方のヨークとが当接することでシフタがアームを一方向に押し、障子を閉じることができ、たて・連動桿が第１の位置から他方向に移動して第３の位置に移動すると、ピンと上下両ヨークのうちの他方のヨークとが当接することでシフタがアームを他方向に押し、障子を全開にすることができる、ことを特徴とする自然風力換気窓である。
【０００８】
本出願に係る第２の発明は、障子が、開口枠の室内寄りにおいて竪枠に障子の重心よりも室外側に位置する横軸でもって回動可能に支持され上框の室内側に釣合おもりを設けられ釣合状態で自然換気される開度となるものであり、
たて・連動桿が、見付方向で見て障子と竪枠の間に位置し竪枠に沿って上下動自在に設けられている、第１発明に記載の自然風力換気窓である。
【０００９】
本出願に係る第３の発明は、たて・連動桿が、第３の位置を取った際に、障子の閉方向の動きを制止する障子の開放維持装置を有することを特徴とする第１〜２発明のうちの何れか１つに記載の自然風力換気窓である。
【００１０】
本出願に係る第４の発明は、たて・連動桿は、弾性部材によって一方向に付勢されると共に、他方向に向って弾性部材の弾性力に抗して上昇又は下降する一方端が巻掛伝動媒体を引き又は弛める換気用操作部材に結合された巻掛伝動媒体を介した支板に結合され、巻掛伝動媒体の弛み、引きによりたて・連動桿が上昇又は下降する換気用操作装置を有することを特徴とする第１〜３発明のうちの何れか１つに記載の自然風力換気窓である。
【００１１】
本出願に係る第５の発明は、開口枠の下枠に沿って移動自在に設けられ上面にストッパと掛金を有する横・連動桿と、
開口枠の下枠に固定して設けられ、前記ストッパと係合して横・連動桿の移動を制止する位置と、ストッパから放たれて横・連動桿の移動を自由とする解除位置とを取り、障子の下框に設けられたカム部により解除位置とされるトリガーと、
障子の下框に設けられ、障子が閉まった際に横・連動桿の移動により掛金と解除可能に係合する受金とトリガーを解除するカム部と、
たて・連動桿が第１の位置から第２の位置となる際に横・連動桿が解除位置となるよう関連動作させる換気用操作装置と、
を有することを特徴とする第１〜４発明のうちの何れか１つに記載の自然風力換気窓である。
【００１２】
本出願に係る第６の発明は、横・連動桿が、開口枠の下枠に沿って室内側に移動自在に設けられており、
ストッパが、横・連動桿に固定されており、
掛金が、ストッパとは横・連動桿の長手方向に離れて横・連動桿に固定されており、
トリガーが、下枠に固定されたブラケットに設けたピンに回動可能に支持され、一端に前記ストッパと係脱されるストッパ止めを有し、他端に障子の下框に設けたカム部に作用されるカム作動子を有し、横・連動桿に沿う方向に回動するようにばね付勢されており、
カム部および受金が、障子の下框に設けられており、このうちのカム部が、障子が閉まる際にカム作動子に作用してトリガーを回転させて前記ストッパを解放して横・連動桿を移動自在とするものであり、受金が、横・連動桿と共に移動した掛金に係合するものであり、
換気用操作装置が、たて・連動桿と横・連動桿を関連動作させて、たて・連動桿と横・連動桿を往動又は復動させるものである、
ことを特徴とする第５発明に記載の自然風力換気窓である。
【００１３】
本出願に係る第７の発明は、自然風力換気窓において、
横・連動桿に滑車を設けると共に下枠側に横・連動桿に設けた滑車の外側で横・連動桿と離れて下枠側に位置を固定して設けた滑車を有し、
一本の巻掛伝動媒体を横・連動桿に設けた滑車と下枠側に設けた滑車間にたすき掛けに巻掛けて、巻掛伝動媒体の一端を開口枠側に固定すると共に他方端を換気用操作部材に結合されていることを特徴とする第５〜６発明のうちの何れか１つに記載の自然風力換気窓である。
【００１４】
本出願に係る第８の発明は、片側の竪枠に設けられたたて・連動桿と横・連動桿を関連動作させる換気用操作装置と、
他の片側の竪枠に設けられたたて・連動桿が第３の位置を取った際に障子の閉方向の動きを制止する障子の開放維持装置と、
片側の竪枠に設けられたたて・連動桿と横・連動桿と障子の開放維持装置を関連動作させる排煙用操作装置と、
を有することを特徴とする第５〜７発明のうちの何れか１つに記載の自然風力換気窓である。
【００１５】
本出願に係る第９の発明は、換気用操作装置は換気用操作部材から巻掛伝動媒体を介してたて・連動桿、横・連動桿に夫々連結され、
排煙用操作装置は排煙用操作部材から巻掛伝動媒体を介して障子の開放維持装置に連結されると共に排煙用操作装置と換気用操作装置が連動することを特徴とする第８発明に記載の自然風力換気窓である。
【００１６】
本出願に係る第１０の発明は、障子の開放維持装置は、排煙用操作装置に連結され下枠に平行して移動自在に設けられ、直動カムとドッグを有する上段・連動桿と、
上段・連動桿と平行して移動自在に設けられロック片と上段・連動桿に有するドッグと係脱可能なドッグとを有しコーナーガイドを介して他の片側の竪枠に設けられたたて・連動桿と結合された下段・連動桿と、
下枠に根本を回動自在に設けられ先端に直動カムに従動するカム従動子及びロック片と係脱するストッパを設けられた下枠側アームと、
を有し、
上段・連動桿のドッグが下段・連動桿のドッグと離れる方向に上段・連動桿が移動した際にカム従動子がカムトップからリフト０の位置となる際又はその後に下枠側アームのストッパがロック片に係合し、下段・連動桿の障子の全開位置から閉じる方向への移動を阻止する位置とすることを特徴とする第８〜９発明のうちの何れか１つに記載の自然風力換気窓である。
【００１７】
本出願に係る第１１の発明は、障子の開放維持装置が、
カム従動子を上段・連動桿に固定された直動カムに向って付勢すると共にストッパを下段・連動桿に固定されたロック片に係合する方向に下枠側アームを付勢するばねと、
開口枠の下枠に沿って移動自在に平行に設けられた上段・連動桿及び下段・連動桿の相対位置により互に係脱する、上段・連動桿に固定されたドッグと下段・連動桿に固定されたドッグとからなる一対のドッグと、
開口枠の片側の竪枠に設けたたて・連動桿と下段・連動桿を連動可能に結合しているコーナーガイドと、
を有することを特徴とする第１０発明に記載の自然風力換気窓である。
【００１８】
本出願に係る第１２の発明は、換気用操作装置と連動して障子の施錠を解除すると共に、上段・連動桿で障子の開放維持装置を操作する排煙用操作装置を有することを特徴とする第１０〜１１発明のうちの何れか１つに記載の自然風力換気窓である。
【００１９】
本出願に係る第１３の発明は、自然風力換気窓において、
滑車を設けた上段・連動桿を備えると共に下枠側に上段・連動桿に設けた滑車の外側で上段・連動桿に沿った位置に下枠側に位置を固定して設けた滑車を有し、
一本の巻掛伝動媒体を上段・連動桿に設けた滑車と、下枠側に設けた滑車間にたすき掛けに巻掛け、巻掛伝動媒体の一端を開口枠側に固定すると共に他端を排煙用操作部材に結合されていることを特徴とする第１０〜１２の発明の何れか１つに記載の自然風力換気窓である。
【００２０】
本出願に係る第１４の発明は、開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
駆動伝達部材が、障子を支持する横軸に回転自在に嵌合し障子に固定された軸受と、軸受から径方向外方に突出する状態で設けられたアームと、たて・連動桿に設けられアームと上下方向に遊びを有する状態で係合可能なシフタと、
を有し、
アームとシフタとのうち、何れか一方にピンが設けられおり、他方にピンの上下両側に位置する上下１対のヨークが設けられており、
たて・連動桿は第１の位置と第２の位置とをとることが可能であり、
たて・連動桿が第１の位置に存在する場合には、たて・連動桿は不動のまま、アームがシフタに対して変位し、上下両ヨークの間の範囲でピンが相対変位することで、障子が自然風力で開度を変化することができ、
たて・連動桿が第１の位置から一方向に移動して第２の位置に移動すると、ピンと上下両ヨークのうちの一方のヨークとが当接することでシフタがアームを一方向に押し、障子を閉じることができることを特徴とする自然風力換気窓である。
【００２１】
本出願に係る第１５の発明は、開口枠の竪枠に横軸で回動可能に支持され上框の室内側に釣合おもりを設けた障子と、
竪枠に沿って上下動自在に設けられたたて・連動桿と、
たて・連動桿から障子に駆動を伝える駆動伝達部材と、
を有し、
駆動伝達部材が、障子を支持する横軸に回転自在に嵌合し障子に固定された軸受と、軸受から径方向外方に突出する状態で設けられたアームと、たて・連動桿に設けられアームと上下方向に遊びを有する状態で係合可能なシフタと、
を有し、
アームとシフタとのうち、何れか一方にピンが設けられおり、他方にピンの上下両側に位置する上下１対のヨークが設けられており、
たて・連動桿が移動して、ピンと上下両ヨークのうちの片方のヨークとが当接することでシフタがアームを押し、障子を全開にすることができることを特徴とする排煙窓である。
【発明の効果】
【００２２】
請求項１、２に係る発明によれば、たて・連動桿の位置を制御し、たて・連動桿に設けたシフタと、障子を支持する横軸に回転自在に嵌合し障子に固定された軸受に設けたアームとの係合状態を変化させることにより、障子を自然風力換気窓としての位置と、障子を閉める位置と、障子が大きく開く位置をとることができる。
請求項３に係る発明によれば、障子を開放した位置で障子は閉まらないので、強風に対して対応でき、排煙において開度を維持できる。
請求項４に係る発明によれば、障子の開又は閉がワイヤーの引張り、弛めだけで簡単に出来る。
請求項５に係る発明によれば、障子を閉めた際に横・連動桿を移動することで施錠できる。
請求項６に係る発明によれば、障子が閉まる際にたて・連動桿が障子をほぼ閉じた位置に移動した位置において横・連動桿は移動してトリガーを解除するので障子の閉と連動して施錠は確実に行われる。
請求項７に係る発明によれば、障子は巻掛伝動媒体を引くことにより施錠できる。
【００２３】
請求項８に係る発明によれば、障子を施錠する装置と、障子の開放維持装置を連動できる。
請求項９に係る発明によれば、片側のたて・連動桿と障子間の駆動伝達部材と、横・連動桿に係る機構と、障子の開放維持装置とを夫々独立して構成できる。
請求項１０に係る発明によれば、上段・連動桿を移動することで障子は開放状態となり、開放状態が維持される。
請求項１１に係る発明によれば、開放した状態の障子を維持でき、強風に対しても障子は閉まらないし、排煙のための開放状態を確保できる。
請求項１２に係る発明によれば、排煙用操作装置を作動して障子の施錠を解除した状態から開放状態までを一貫して行うことができる。
請求項１３に係る発明によれば、障子は巻掛伝動媒体を引くことにより開放できる。
請求項１４に係る発明によれば、自然風力換気窓のみの機能を有するものとすることができる。
請求項１５に係る発明によれば、排煙窓のみの機能を有するものとすることができる。
【図面の簡単な説明】
【００２４】
【図１】実施例の横軸回転窓の室内側より見る正面図である。
【図２】横軸回転窓の見込方向の縦断面図である。
【図３】横軸回転窓の水平断面図である。
【図４】横軸回転窓の換気用ユニット、排煙用ユニットを示す室内側より見る正面図である。
【図５】（ａ）は換気用ユニットの平面図、（ｂ）は排煙用ユニットの上段の平面図、（ｃ）は排煙用ユニットの下段の平面図である。
【図６】図４の左側の一部拡大図である。
【図７】図６の平面図である。
【図８】軸受装置回りの斜視図である。
【図９】図８を見付方向から見る軸受装置回りの正面図である。
【図１０】図８を見付方向から見る軸受装置回りの正面図である。
【図１１】滑車の位置を上方より見る平面図である。
【図１２】図１１の正面図である。
【図１３】図１２のＡ−Ａ断面図である。
【図１４】図１２の一部側面図である。
【図１５】トリガー回りを示す平面図である。
【図１６】図１５を見付方向から見る正面図である。
【図１７】図１６の作用状態を示す正面図である。
【図１８】障子をロックするためのロックピン回りを示す平面図である。
【図１９】図１８の側面図である。
【図２０】トリガーの平面図である。
【図２１】トリガーの正面図である。
【図２２】図７の平面図の一部拡大図である。
【図２３】図２２の正面図である。
【図２４】上下連動桿接続図を示し、正面図の図４、図６の一部拡大図である。
【図２５】下段・連動桿の平面図である。
【図２６】模式的に示す接続アーム部の斜視図である。
【図２７】ロックピン回りの他の実施例の平面図である。
【図２８】図２７の側面図である。
【図２９】コーナーガイドの正面図である。
【図３０】図２９の平面図である。
【図３１】図２９の側面図である。
【図３２】図２９を見込み方向から見るコーナーガイド取付部の正面図である。
【図３３】図３２の平面図である。
【図３４】（ａ）（ｂ）（ｃ）は上下段連動桿及び連動桿接続部の作用を示す正面図である。
【図３５】上段・連動桿を駆動するワイヤ及びばねを示す平面図である。
【図３６】軸受装置の他の実施例の見付方向から見る正面図である。
【図３７】軸受装置の参考例の見付方向から見る正面図である。
【図３８】単窓における横・連動桿の平面図である。
【図３９】単窓における上段・連動桿の平面図である。
【実施例】
【００２５】
以下、本発明の実施例を図面に従って説明する。
（窓の構成）
【００２６】
図１は横軸回転窓の内部側より見る正面図である。開口枠１内に障子２が開口枠１の竪枠６，６と障子２の竪框９，９との間に設けた横軸の軸受装置３，３により回転自在に支持され、障子２は開口枠１に対して開閉可能となっている。
（窓の気密構造）
【００２７】
図２は図１の壁面に直交する方向の平面（見込方向）で切る縦断面図、図３は図１の見込方向の水平断面図である。図３の左側は図１において軸受装置３を除く中間部を示し、右側は図１において軸受装置３を含めて軸受装置３よりも下側を示してある。
図２において図の左側が外部側、同右側が内部側である。図３において図の下側が内部側、上側が外部側である。
【００２８】
開口枠１は上枠５、竪枠６、下枠７が四方組みされている。障子２は上框８、竪框９、下框１１が四方組みされ、これら框材の内周に取り付けたシール材１２等の部材によりガラス１３が気密を保って保持されている。
軸受装置３よりも下方の開口枠１と障子２の気密材は以下のとおりである。
【００２９】
障子２を閉めた状態で下框１１の内側材１１ａは下枠７の外部側を向いて開いた条溝７ａに嵌合している気密パッキン１５に当接している。条溝７ａは下枠７の内側材７ｂの上部に設けてある。障子２を閉めた状態で各竪框９の内側材９ａは竪枠６の外部側を向いて開いた条溝６ａに嵌合している気密パッキン１６に弾力でもって接している。条溝６ａは竪枠６の内側材６ｃの内周側に設けてある。
【００３０】
軸受装置３よりも上方の開口枠１と障子２間の気密材については図略しているが、図２の上枠５と上框８のように竪框９に気密パッキン１５を嵌合したアタッチ等を取り付け、気密パッキン１５を竪枠６に当接させる。
【００３１】
軸受装置３は図３に示すように竪枠６に固定された軸３ｂに竪框９に固定された軸受３ａが回転自在に嵌合している。軸受装置３の構成についての詳細は後述する。軸受装置３の軸線Ｃ３は見付方向の水平線である。見込み方向で見て障子２を支持する軸受装置３の軸線Ｃ３は障子２のみの重心位置よりも室外側に有る。従って、釣合おもり１７（図２参照）がないとすると障子２はその重力で閉じる。外部より建物に向って吹き付ける風により障子２が閉まる力を受けるように軸受装置３は障子２の上下方向の二分位置よりも上方にある。なお、見込方向で見てガイドレール２１は障子２のみの重心位置と軸受装置３の軸線Ｃ３より室外寄りにある。
【００３２】
上框８の内側材８ａ、内周材８ｂに接して釣合おもり１７が固定されている。釣合おもり１７は上框８の横方向の長さよりもわずかに短く全体としては横長で室内側へ突出している。釣合おもり１７は左右両端に設けたブラケット１７ａが小ねじ１７ｂ，１７ｃ、裏板１７ｄでもって上框８に固定されている。両ブラケット１７ａ，１７ａにわたされた溝形鋼形の横架材１７ｅはボルト、ナット、座金を含む締結部材１８ａでもって該ブラケット１７ａ，１７ａに固定されている。横架材１７ｅの溝内には複数の調節用おもり１９が配設されている。重ねた調節用おもり１９及び横架材１７ｅを貫通する締結部材１８ｂでもって調節用おもり１９は横架材１７ｅに対して取外し可能に固定してある。締結部材１８ｂは座金を含むボルトナットである。
【００３３】
釣合おもり１７により、障子２は小さな角度、見付方向の垂直面に対して例えば４５度程度、軸受装置３を中心にして傾動した状態で釣合う。即ち、軸受装置３の軸線Ｃ３は障子２にモーメントが生じない上下方向の重心位置よりも上方且つ、障子２の室外寄りに設けてある。そして、釣合おもり１７を障子２の上框８の室内側に設けることにより、上框８が室内側に、下框１１が外部側に位置して所望の角度に傾くように調節用おもり１９は加減される。
【００３４】
無風の状態では障子２は下框１１が外部側に上框８が室内側に来るように傾いて釣合っているが、風が外壁に向って吹き付けると軸線Ｃ３の上下における障子２の表面積の差により、より多くの風力を障子２の下部は受け障子２は軸受装置３を中心にして閉じるように動く。閉じる量は風力の大きさによる。風は強さの消長があるので風力により障子２の開度は変化する。
【００３５】
これによって、一定風速以上の強風時は障子２は自動的に閉まり、風の室内への吹き込みは防止される。無風時は障子２は換気可能な程度に開いているので、建物内外の温度差、他の窓からの通風等により換気される。
【００３６】
竪枠６の内周側には上下方向に配したガイドレール２１が小ねじ２１ａにより固定されている。ガイドレール２１は広幅のＴ溝を有するリップ溝形鋼の形状である。ガイドレール２１は竪枠６の内周に設けた突条６ｂに当接して位置決めされている。ガイドレール２１内には上下方向に移動自在にたて・連動桿２２が嵌合している。たて・連動桿２２は図３を見付方向から見て障子２と竪枠６の間に位置する。
（横軸回転窓の制御装置）
【００３７】
図４は横軸回転窓を室内側から見る正面図である。この実施例は２連窓である。図４に示すように一点鎖線Ａで囲まれたＬ字及び逆Ｌ字形の範囲には強風時等に障子の強制閉鎖を行う換気用ユニット１００が配設されている。二点鎖線Ｂで囲まれた倒立したＴ字形の範囲には障子の強制開放を行う排煙用ユニット２００が配設されている。換気用ユニット１００、排煙用ユニット２００は夫々方立６Ａを中心にしてワイヤー関連を除いて左右対称である。
【００３８】
換気用ユニット１００を動作させる換気用操作部材１５２、排煙用ユニット２００を動作させる排気用操作部材１５３が設けてある。何れも内部にワイヤー巻取装置を備えており、換気用操作部材１５２は換気用ユニット１００を駆動するワイヤー２４（２４Ａ,２４Ｂ）を巻き取るドラムを備えている。排煙用操作部材１５３は排煙用ユニット２００を駆動するワイヤー２５を巻き取るドラムを備えている。これらのドラムは何れも手動又は電動により駆動される。手動の場合はハンドル又はレバーの操作による。電動の場合は押ボタンの操作による。電動の場合は押ボタンから制御回路を介してドラムを駆動するモータに通電する。換気用操作部材１５２とワイヤー２４，ワイヤー２４に張力を加える弾性部材である引張コイルばね（後述）でもって換気用操作装置を構成している。排煙用操作部材１５３とワイヤー２５、ワイヤー２５に張力を加える弾性部材である引張コイルばね（後述）でもって排煙用操作装置を構成している。
【００３９】
図５（ａ）は換気用ユニット１００の平面図、図５（ｂ），（ｃ）は排煙用ユニット２００の平面図である。図５（ｂ），（ｃ）は上下に配される部材を示し、図５（ｂ）側の部材が上側に位置している。
【００４０】
図４に示すように二連窓の方立６Ａは左右の窓の竪枠６，６を結合部材６Ａ１（図３）で併せてなる。換気用ユニット１００は左側の窓の左側、右側の窓の右側の竪枠６と下枠７に沿って配設されている。排煙用ユニット２００は方立６Ａとなる竪枠６と下枠７に沿って配設されている。以下図４の左側の窓について説明する。左右の窓は方立６Ａを中心にして構成が対称である。
【００４１】
換気用ユニット１００の構成部材として以下の部材を有する。各竪枠６と竪框９間には軸受装置３及びこれに付帯する障子回転部材が設けてある。既にのべたように各竪枠６には上下方向に移動自在なたて・連動桿２２が設けてある。たて・連動桿２２の下部には滑車２６が設けられている。下枠７の内部側に沿って横・連動桿２７、トリガー２８、ロックピン部２９が設けられている。
【００４２】
排煙用ユニット２００として以下の部材を有する。方立６Ａとなる竪枠６と竪框９間には軸受装置３及びこれに付帯する障子回転部材が設けてある。方立となる各竪枠６には上下方向に移動自在にたて・連動桿２２Ａが設けてある。たて・連動桿２２Ａの下部はコーナーガイド３１を介して下段連動桿３３に連結されている。下段連動桿３３は上下連動桿接続部３０でもって上段連動桿３２に解除可能に連結されている。
（軸受装置３廻り）
【００４３】
図３に示すように軸３ｂは竪枠６にねじ３ｃ止めされたスタンド３ｄにねじ込まれている。軸３ｂに回転自在に嵌合する軸受３ａは竪框９に固定されている。軸受３ａにはアーム３ａ１が一体に設けてある。アーム３ａ１の先端にはピン軸３ａ２が固定されている。ピン３ａ２にはピンローラ３ａ３が回転自在に嵌合している。軸受装置３の軸線Ｃ３は見付方向を向いている。ピン軸３ａ２は円筒形でその中心は軸線Ｃ３と平行である。ピンローラ３ａ３はシフタ３４に遊嵌している。シフタ３４はたて・連動桿２２に小ねじ３４ｄにより固定されている。
ここで、ピン軸３ａ２、ピンローラ３ａ３は駆動部材であるシフタ３４に対して従動子となっている。
このような軸受装置３及びその周りの部材は竪枠６と竪框９の間に設けてある。
上記において軸受３ａ、軸３ｂ、ピン軸３ａ２、ピンローラ３ａ３、シフタ３４は金属例えばステンレス鋼である。
【００４４】
図８は軸受装置３回りを模式的に示す斜視図である。図９、図１０は図８の軸受装置３回りを見付方向から見る正面図である。シフタ３４はたて・連動桿２２に接して固定されたベース３４ａと、ピンローラ３ａ３がゆるく嵌合する溝を間にしてベース３４ａから立設した上ヨーク３４ｂと下ヨーク３４ｃを有する。図８、図９においてたて・連動桿２２が矢印イのように下方へ移動すると、上ヨーク３４ｂはピンローラ３ａ３を押し下げ軸受３ａは矢印ロの方向に釣合いおもり１７により障子２を開こうとする回転力に抗して回転する。軸受３ａに固定されている障子２は上框８が室外側へ移動し、下框１１が室内側に向って移動し障子２を閉鎖させる。
【００４５】
図１０に示すようにたて・連動桿２２が上限位置よりも下方の中間位置まで上昇している際、障子２は既にのべたように例えば無風時垂直方向に対して４５度傾いた状態（障子２と釣合おもり１７が軸受装置３を中心にして釣合った状態）において下ヨーク３４ｃがピンローラ３ａ３と離れている。このとき上ヨーク３４ｂとピンローラ３ａ３はわずかに離れているか接している。従って、図１０の状態においては軸受装置３を中心にして障子２と釣合おもり１７は釣合い自然換気が行われ風力の消長により障子２は開度を小さい方に変える。
上記においてシフタ３４、ピンローラ３ａ３、アーム３ａ１、軸受３ａはたて・連動桿２２から障子２に駆動を伝える駆動伝達部材となっている。
（たて滑車回り）
【００４６】
図１１はたて・連動桿２２を駆動する部材を示す平面図、図１２は図１１の側面図である。図１１、図１２は連窓となっている右側の窓の外側の竪枠側の図である。たて・連動桿２２部分においては一つの窓の左右の竪枠６に関して左右対称に構成されている。方立６Ａ側に設けるたて・連動桿は符号を２２Ａと付すが方立となっていないたて・連動桿２２とは下部の駆動のための連動部材（滑車２６、コーナーガイド３１）を異にしていることを除くと同一である。
【００４７】
たて・連動桿２２には室内側に向って片持梁状にのびる支板３５が固定されている。図１１に示すように支板３５の根本及びたて・連動桿２２を貫通する小ねじ３５ａがたて・連動桿２２の背面に当接嵌合する裏板２２ａにねじ込まれることにより、たて・連動桿２２と支板３５は固定されている。支板３５は竪枠６の内側材６ｃのスリット６ｃ１を挿通して室内側へ突出している。スリット６ｃ１は支板３５の厚さよりもわずかに幅の大きい上下方向に長い長穴である。
【００４８】
支板３５に固定されたばね掛け３６に下端が引っ掛けられた引張コイルばね（側面は両端を除いて捲回部分を丁度囲む方形で示す。以下、同じ）３７の上端はばね掛け３８に引っ掛けられている。ばね掛け３８は根本にベース３８ａを一体に有する。ベース３８ａ及び竪枠６の周材６ｄを貫通する小ねじ３９は周材６ｄの外周側に接する裏板４１にねじ込まれることによってばね掛け３８は竪枠６に固定されている。
【００４９】
支板３５の先端には滑車２６を回転自在に支持する軸４２を固定した二又ヨーク状のブラケット４３が固定されている。この滑車２６には巻き掛け伝動媒体としてワイヤー２４Ａが巻き掛けられている。ワイヤー２４Ａは単線又は撚り線である。
【００５０】
図１３はガイドレール２１の上部及び下部を示す。ワイヤー２５ａで引かれて下降した又は引張コイルばね３７のばね力で上昇したたて・連動桿２２の上下端はストッパ２１ｂに衝接して位置が定まる。このとき、後述するように障子２が開く角度は壁面に対して４５度である。又は、障子２がほぼ、閉じた状態である。ストッパ２１ｂはガイドレール２１の溝内にあり、ガイドレール２１に小ねじ２１ｃでもって固定される。
【００５１】
上記構成により、たて・連動桿２２は引張コイルばね３７のばね力で上方に向って付勢されている。たて・連動桿２２は換気用操作部材１５２からのワイヤー２４Ａにより、このばね３７のばね力に抗して引き下げられて位置が定まる。
【００５２】
上記によって竪枠６に沿って上下動自在に設けられたたて・連動桿２２と、たて・連動桿２２から障子２までの駆動伝達部材と、を有し、たて・連動桿２２が不動のまま障子２が自然風力で開度を変化する第１の位置と、第１の位置から一方向に移動して障子２を閉じた第２の位置と、第１の位置から他方向に移動して障子２を全開した第３の位置をとることができる遊びを駆動伝達部材が有する自然風力換気窓の軸受装置３の回りの構成について説明した。
（横・連動桿）
【００５３】
図１５はトリガー回りを示す平面図、図１６は図１５の側面図（見付方向から見て正面図）、図１７は図１６の作用状態を示す側面図、図１８はロックピン回りを示す平面図、図１９は図１８の側面図である。
【００５４】
図１５から図１９に示すように下枠７の内側材７ｂに沿ってガイドレール４４が配設されている。ガイドレール４４はリップ溝形鋼形で上に向って開口している。ガイドレール４４は内側材７ｂとわずかに間を置いており、図示されない支持部材により内側材７ｂに固定されている。ガイドレール４４には移動自在に横・連動桿２７が嵌合している。
【００５５】
横・連動桿２７の上面には障子２を施錠する際に掛金となる板カム４５ｃであるロックピン受け４５（図６、図１８、図１９参照）、ストッパ４６（図６、図１５、図１６、図１７参照）が固定されている。図１９に示すようにロックピン受け４５はベース４５ｂと一体に板カム４５ｃを設けてなる。ロックピン受け４５は横・連動桿２７の上面に固定されている。この固定はベース４５ｂ、横・連動桿２７を貫通する小ねじ４５ａを横・連動桿の下面に嵌め込んだ裏板４５ｄにねじ込んでなる。板カム４５ｃのカム面４５ｃ１は平面で見て横・連動桿２７の長手方向に対して斜設してある。
【００５６】
図１６に示すようにストッパ４６は、ストッパ４６、横・連動桿２７を貫通して横・連動桿２７の下面に嵌め込んだ裏板２７ｂにねじ込んだ小ねじ４６ｂによって横・連動桿２７の上面に固定されている。ストッパ４６の幅は横・連動桿２７の上面の幅よりもわずかに小さく一端４６ｃは半円形である。図６、図７は図４の連窓の左側の窓を示しており、室内側より見て右側より左側に向ってロックピン受け４５、ストッパ４６の順に配列されている。
【００５７】
図４の一部拡大図の図６、図６の平面図の図７に示すように横・連動桿２７上には、トリガー２８の右方においてばね掛け４７が設けてある。ばね掛け４７は横・連動桿２７の上面に当接して小ねじ４８により固定されたベース４７ａ上にばね掛けピン４７ｂを立設してある。一端がばね掛けピン４７ｂに引っ掛けられた引張コイルばね４９の他端はばね掛け５１のばね掛けピン５１ａに引っ掛けられている。ばね掛け５１はばね掛けピン５１ａを立設しているベース５１ｂが下枠７の内側材７ｂに固定されて室内側へ突出した支持板５２に固定される。尚、横・連動桿２７を案内しているガイドレール４４は支持板５２と後述の支持板５３に固定されている。これによって、横・連動桿２７は図６、図７において引張コイルばね４９のばね力により右方へ向って付勢されている。図６、図７における横・連動桿２７の右行端は、ガイドレール４４に固定したストッパ４４ａに横・連動桿２７端が衝接して定まる。
【００５８】
図５（ａ）、図６、図７においてトリガー２８の左方の位置には滑車５４，５５が設けられている。滑車５４，５５を含む滑車装置の平面図が図２２、図２２の室内側より見る正面図が図２３である。滑車５４は横・連動桿２７上に固定した支持台５６に固定したピン５７に回転自在に支持されている。滑車５５は支持台５８に固定したピン５９に回転自在に支持されている。ピン５７，５９は平行している。滑車５４，５５は上下方向同一位置にある。支持台５６，５８は対向部が開放された溝形鋼形である。支持台５６の下方のフランジ５６ａは横・連動桿２７の上面に当接している。フランジ５６ａを挿通する小ねじ６１を横・連動桿２７の背面に嵌め込んだ裏板６２にねじ込むことにより支持台５６は横・連動桿２７に固定されている。本例では支持台５６，５８は形状寸法が同一である。支持台５８はそのフランジ５８ａが図２３に示すようにくら形の台６３上面に当接し、フランジ５８ａを挿通する小ねじ６４を台６３の上面材にねじ込むことにより台６３に固定されている。台６３は下枠７の内側材７ｂに固定されたＬ形のブラケット６５に小ねじ６６により固定されている。
【００５９】
図２２に一点鎖線で示すように一方が滑車５４の左側に左方に向って下枠７に平行に直線状に張設されているワイヤー２４Ｂは滑車５４の右側に巻き掛けられ、他方は滑車５４から退出して滑車５５の左側に巻き掛けられ滑車５５から右方に下枠７に平行して延びる。滑車５４，５５間はワイヤー２４Ｂはたすき掛けである。右方に延びたワイヤー２４Ｂは図４に示す右側の窓に対称に配設される。即ち、換気用ユニット１００は方立６Ａを中心にして左右対称である。ワイヤー２４については更に後述する。
（トリガー）
【００６０】
図２０、図２１に示すように全体を符号２８Ａで示すトリガーアセンブリはトリガー２８がブラケット２８ａ上に立設したピン２８ｂに回転自在に支持されている。トリガー２８に一体に設けられたボス２８ｃに挿入されたねじりコイルばね２８ｄの一端２８ｄ１はトリガー２８に引っ掛けられ、他端２８ｄ２はブラケット２８ａに立設したストップピン２８ｅに弾力で接している。該ばね２８ｄのばね力で図２０においてトリガー２８は左回りの付勢力を受けてストップピン２８ｅに接している。トリガー２８がストップピン２８ｅに接している状態でトリガー２８と横・連動桿２７は平行している。
【００６１】
トリガー２８は幅がストッパ４６よりもわずかに大きく帯鋼製である。トリガー２８は両端が折曲して垂下し一端がストッパ止め２８−１、他端がカム作動子２８−２となっている。ブラケット２８ａはアングル形状をしており、垂直方向のフランジは図１６、図１７に示すように下枠の内側材７ｂに当接し、ブラケット２８ａの穴２８ａ１及び内側材７ｂの穴を挿通し、内側材７ｂの外部側の面に当接した裏板２８ｆにねじ込んだ小ねじ２８ｇにより、下枠７に固定されている。
【００６２】
トリガーアセンブリ２８Ａを下枠７に取付けた状態（障子２が施錠されていない状態）において障子２が開いている際は平面で見てトリガー２８と横・連動桿２７は長手方向を一致させて重なっている。
（ロックピン部）
【００６３】
図１８、図１９に示すようにロックピン部２９はブラケット２９ａとピン部２９ｂを有する。ピン部２９ｂはピン軸２９ｃとローラ２９ｄを有する。ブラケット２９ａ端にかしめて固定したピン軸２９ｃに回転自在にローラ２９ｄが嵌合している。ピン軸２９ｃはブラケット２９ａに嵌合してかしめられる固定部２９ｃ１から拡径されローラ２９ｄが回転自在に嵌合する軸受部２９ｃ２、軸受部２９ｃ２下端から拡径したつば２９ｃ３を有する。つば２９ｃ３はローラ２９ｄよりも小径である。ブラケット２９ａはたて材２９ａ１、横材２９ａ２、たて材２９ａ１下端を折曲した取付部２９ａ３を有し逆Ｌ字形をしている。ブラケット２９ａは取付部２９ａ３、障子の下框の内周材１１ｂを貫通して下板１１ｆにねじ込んだ小ねじ２９ｅにより下框１１に固定されている。下板１１ｆは下框１１の中空部１１ｃに挿入されて中空部１１ｃの下方の外周材１１ｄに当接し、外周材１１ｄを挿通して下板１１ｆにねじ込んだ小ねじ１１ｅにより下框１１に固定されている。
【００６４】
図１８に示すようにロックピン部２９は受金であるピン部２９ｂが、横・連動桿２７の移動と共に移動する掛金となるロックピン受け４５としての板カム４５ｃにより室内側へ移動させられることにより、障子２の下框１１を室内側へ引寄せ障子２を閉鎖施錠するものである。
【００６５】
図１５に示すように、ロックピン部２９のブラケット２９ａの横材２９ａ２にはトリガー２８のカム作動子２８−２を押してトリガー２８を回転させるカム部２９ｓが設けてある。カム部２９ｓは平面で見て円弧形である。
【００６６】
下框１１が室内側へ移動する際にブラケット２９ａは室内へ移動して図１５に示すようにトリガー２８をねじりコイルばね２８ｄのばね力に抗してピン２８ｂを中心にして時計回りに回動させる。これによってトリガー２８のストッパ止め２８−１はストッパ４６の一端４６ｃから外れる。そこで横・連動桿２７はガイドレール４４に案内されて自在に移動可能となる。
（上下段連動桿）
【００６７】
図１９に示すように下枠７の内側材７ｂにはクランク状に折曲したブラケット６７の上部が固定されている。ブラケット６７の下端は下枠や無目に固定されたブラケット等の取付面６８に当接し固定されている。ブラケット６７のウエブの上面には下枠７に平行してガイドレール６９が設けてある。ガイドレール６９の直下にガイドレール７１が配設されている。
【００６８】
ガイドレール７１は窓台６８に固定されている。ガイドレール６９，７１は下枠７に平行しており何れもリップ溝形鋼形であって上側が開口している。ガイドレール６９には上段・連動桿３２が移動自在に嵌合している。ガイドレール７１には下段・連動桿３３が移動自在に嵌合している。図４の一部拡大図の図６に示すように引張コイルばね７２は一端が上段・連動桿３２上に固定されたばね掛け７３に引っ掛けられ、他端が下枠７に固定されたばね掛け８０に引っ掛けられている。上段・連動桿３２は引張コイルばね７２のばね力によって図６、図２４の左方から右方に向って付勢されている。上段・連動桿３２の右行限度位置は、ガイドレール６９に固設した図示されないストッパに上段・連動桿３２端が衝接することにより定まる。
【００６９】
図２４に示すように上段・連動桿３２上には小ねじ７４ａにより直動カム７４が固定されている。直動カム７４は左右方向に移動する際にカム従動子となったピン７５にリフトを生ずる斜めのカム面７４ｂが設けてある。直動カム７４の上面のカムトップ７４ｃは上段・連動桿３２の移動方向に平行している。上段・連動桿３２の下面にはドッグ７６が小ねじ７６ａにより固定されている。ドッグ７６はアングル状で一方のフランジ７６ｂは垂下しガイドレール６９のウエブに設けた長穴６９ａを挿通して上段・連動桿３２を移動自在に嵌合しているガイドレール６９の下方に突出している。長穴６９ａの長さはドッグ７６の移動範囲よりもやや長くなっている。
【００７０】
下段・連動桿３３上にはドッグ７６と係合するドッグ７７が設けてある。アングル形状のドッグ７７の一方のフランジであるベース７７ａ及び下段・連動桿３３を貫通して小ねじ７７ｂが下段・連動桿３３の下面に当接した裏板７８にねじ込まれドッグ７７は下段・連動桿３３に固定されている。アングル形状のドッグ７７は隅部に弾性部材、例えば硬質ゴム・エラストマー等の緩衝材７７ｃが固定されている。上下方向で見て左右方向に移動するとき緩衝材７７ｃはドッグ７６に当接可能な位置にある。
【００７１】
図２４において下段・連動桿３３にはドッグ７７の右方の位置にロック片７９が固定されている。ロック片７９は下段・連動桿３３の上面に当接し、ロック片７９及び下段・連動桿３３を挿通し、前述したドッグ７７を固定するために用いた裏板７８に小ねじ７９ａをねじ込むことで下段・連動桿３３に固定されている。
（上下連動桿接続部）
【００７２】
上下連動桿接続部３０について説明する。図２４には上下連動桿接続部３０が示されている。図２５は下段・連動桿の平面図である。上下連動桿接続部３０は上段・連動桿３２に固定された直動カム７４と、下段・連動桿３３に固定されたロック片７９と、直動カム７４とロック片７９を関連させて上段・連動桿３２と下段・連動桿３３の関係位置を定める接続アーム部８１、ドック７６，７７を有する。
【００７３】
図２４は接続アーム部８１の側面図、図２５は下段・連動桿３３回りを示す平面図、図２６は上下連動桿接続部３０を模式的に示す斜視図である。接続アーム部８１は下枠７側に固定されるフレーム８２と、フレーム８２に固定されたアーム支持軸８３と、アーム支持軸８３に回転自在に嵌合する下枠側アーム８４と、フレーム８２と一体のボス８２ａの外周に挿入されたねじりコイルばね８５と、ねじりコイルばね８５の一端８５ａを制止するばね受け８２ｂ（図２５では図略）と、該ばね８５の他端を制止するばね受け８４ａとを有する。ばね受け８２ｂはフレーム８２に固定されている。ばね受け８４ａは下枠側アーム８４に固定されている。
【００７４】
図２５に示すようにフレーム８２の上端の取付座部８２ｃが下枠７の内側材７ｂに当接し取付座部８２ｃ、内側材７ｂを挿通する小ねじ８２ｄが内側材７ｂの外部側に当接する裏板８２ｅにねじ込まれ、フレーム８２の下端の取付座部８２ｆを挿通する小ねじ８２ｇが窓台６８（図１９参照）にねじ込まれ固定されることによりフレーム８２は開口枠１に固定されている。
【００７５】
上記構成により、下枠側アーム８４はねじりコイルばね８５のばね力で図２４、図２６において、アーム支持軸８３を中心にして反時計回りに回転するように付勢されている。
【００７６】
図２５に示すように接続アーム部８１の先端部は上側にピン７５の軸部７５ａが固定されている。軸部７５ａにはピンローラ７５ｂが回転自在に嵌合している。このピン７５は先に述べたように直動カム７４のカム従動子となるものである。下枠側アーム８４の先端の下側にはロック片７９と係脱可能なストッパ８４ｂが設けてある。図２４に示すようにピン７５が直動カム７４により上限位置にある際、ストッパ８４ｂは下段・連動桿３３と平行な上面を持つロック片７９から離れている。
（コーナーガイド）
【００７７】
コーナーガイド３１は下枠７及び方立６Ａを構成する竪枠６の内隅の室内側に沿って取付部材を介してこれら枠材に固定されている。コーナーガイド３１は正面図の図２９、平面図の図３０、側面図の図３１に示されている。コーナーガイド３１はＬ字形でＬ字に沿って中空部を有し両端に中空部に通ずる開口を有するコーナーガイド本体３１ａと、コーナーガイド本体３１ａに図２９において横方向に移動自在に嵌合している横滑動片３１ｂと、該本体３１ａに上下方向に移動自在に嵌合しているたて滑動片３１ｃと、横滑動片３１ｂとたて滑動片３１ｃに両端を固定されこれらの滑動片３１ｂ，３１ｃを連結している可撓性部材３１ｄとを有する。
【００７８】
コーナーガイド本体３１ａの中空部は横滑動片３１ｂのスライド部３１ｂ１が移動自在に嵌合するガイド穴３１ａ１と、たて滑動片３１ｃのスライド部３１ｃ１が移動自在に嵌合するガイド穴３１ａ２と、可撓性部材３１ｄを案内するガイド穴３１ａ３を有する。スライド部３１ｂ１とガイド穴３１ａ１、スライド部３１ｃ１とガイド穴３１ａ２は夫々断面角形である。ガイド穴３１ａ３は外側が四分円の円弧形で可撓性部材３１ｄが該外側円弧形部分に沿って摺動する。ガイド穴３１ａ３の内側は可撓性部材３１ｄとは離れている。可撓性部材３１ｄは例えば帯状の板ばねである。横滑動片３１ｂの端部は取付部３１ｇが一体に設けてある。たて滑動片３１ｃの端部は取付部３１ｈが一体に設けてある。
図２９において符号３１ａ１，３１ａ２，３１ａ３の引出線の先に示す面は滑らかに連続している。
【００７９】
図３２、図３３はコーナーガイド３１の取付関係を示し、図３２は図２９を見込方向から見る正面図、図３３は図３２の平面図である。コーナーガイド３１はその本体３１ａのＬ字形の竪方向に長い部分を横切って挿通する小ねじ３１ｅをブラケット８７のフランジにねじ込みブラケット８７に固定されている。ブラケット８７のウエブを挿通する小ねじ８７ａは結合部材６Ａ１を挿通して方立６Ａを構成する竪枠６の内側材６ｃにねじ込まれている。コーナーガイド３１はその本体３１ａのＬ字形の横方向に長い部分を挿通する小ねじ３１ｆをブラケット８８のウエブにねじ込みブラケット８８に固定されている。ブラケット８８のウエブを挿通する小ねじ８８ａは窓台６８にねじ込まれている。
【００８０】
コーナーガイド３１の横滑動片３１ｂの取付部３１ｇは下段・連動桿３３上に当接し図示されない小ねじにより下段・連動桿３３に固定されている。図３３に示すようにコーナーガイド３１とたて・連動桿２２Ａを結合する支持板８９が竪枠６の内側材６ｃに設けた上下方向に長いスリット６ｃ２を挿通している。方立６Ａ側のたて・連動桿２２Ａには一枚板状の支持板８９が当接している。支持板８９、たて・連動桿２２Ａを挿通し、たて・連動桿２２Ａの背面に嵌め込まれた裏板２２Ａａに小ねじ８９ａをねじ込むことによりたて・連動桿２２Ａと支持板８９は固定されている。支持板８９にはコーナーガイドの取付部３１ｈが当接し取付部３１ｈの穴を挿通して支持板８９に小ねじ３１ｉがねじ込まれ、支持板８９とたて滑動片３１ｃは固定されている。
（ワイヤーの掛け方）
【００８１】
たて・連動桿２２、横・連動桿２７、上段・連動桿３２を牽引するワイヤー２４（２４Ａ，２４Ｂ），２５の掛け方について説明する。巻掛伝動媒体として設けたワイヤー２４，２５は単線又は捻り線のばね鋼の線である。
【００８２】
ワイヤー２４Ａの一方端側は換気用操作部材１５２内の図示されないドラムに捲回されている。このワイヤー２４Ａの他方端側２４ａ（図１２参照）はたて・連動桿２２近くで滑車２６の上側に巻き掛けられて垂下して下枠７に固定されたブラケットに設けられた滑車２６ａによって方向が変更され、下枠７に沿って配されるワイヤー２４Ｂとなる。下枠７側に結合されたワイヤー２４Ａの他方端側２４ａと平行して垂下するワイヤー２４Ａが引張コイルばね３７のばね力に抗して移動する際のトラベルはたて・連動桿２２のトラベルの２倍である。従って、たて・連動桿２２側の移動における摩擦・慣性抵抗を除いて引張コイルばね３７のばね力の２分の１の引張力がワイヤー２４Ａに生ずる。滑車２６に巻き掛けられた部分から換気用操作部材１５２間のワイヤー２４Ａは滑車等の案内部材（図示されない）を介して張設されている。
【００８３】
下枠７に沿っているワイヤー２４Ｂの一方端側は換気用操作部材１５２のワイヤー２４Ａを捲回してあるドラムとは異なるドラムにワイヤー２４Ａの巻き勝手と同じ巻き勝手で捲回してある。換気用操作装置の部材として設けたワイヤー２４Ｂは滑車５４，５５に巻き掛けられる。方立６Ａを対称の中心として滑車５４，５５は対称位置にある。滑車５４，５４間の見付方向の外側に滑車５５，５５がある。また、滑車５４，５４の室内側に滑車５５，５５がある。図５（ａ）に示すように、連窓の右側の窓の滑車５５から右方に離れてリターン滑車９１，９２が設けてある。
【００８４】
換気用操作部材１５２内の図示されないドラムに一端側が捲回されたワイヤー２４Ｂは図示されない滑車等の案内部材を介して図５（ａ）、図７に示すように下枠７に沿って図４における連窓の右側の窓の右端まで配され、右端から固設したリターン滑車９１，９２を介して図５（ａ）における右側の滑車５４，５５に巻き掛けてある。そして右側の滑車５５と左側の滑車５５間に張設されたワイヤー２４Ｂは左側の滑車５５，５４に巻き掛けられたあとは下枠７近くで図示されない部材に固定されるワイヤーエンド２４Ｂｅとなる。滑車５４，５５間ではワイヤー２４Ｂはたすき掛けである。
【００８５】
なお、図３８に示すように、横・連動桿２７をワイヤーで移動するのに単窓の場合はリターン滑車が不要となり、ワイヤー２４Ｂｓは竪枠６側から滑車５４に巻き掛けられ滑車５５にたすき掛けされ、任意の位置２４Ｂｓｅで図示されない部材に固定される。よって、ワイヤー２４Ｂの配列の向きは、図５（ａ）、図７と逆になる。更には、上記において滑車５４に巻き掛けられた後のワイヤー２４Ｂｓは滑車５５をなくして図示されない部材に固定することもできる。
【００８６】
上記構成により、連窓の左右の横・連動桿２７は換気用操作部材１５２からのワイヤー２４Ｂの張力によって互に遠くの方向へ移動すると共にワイヤー２４Ｂが弛められると引張コイルばね４９のばね力で互に近づく方向に移動する。
【００８７】
排煙用操作装置の部材として設けたワイヤー２５は滑車９３，９４に巻き掛けられる。方立６Ａを対称の中心として左右の窓の滑車９３，９４は対称位置にある。滑車９３，９３の見付方向の外側に滑車９４，９４がある。また、滑車９３，９３の室内側に滑車９４，９４がある。
【００８８】
排煙用ワイヤー２５の配列は図５（ｂ）、図５（ｂ）の一部拡大図の図３５に示されている。排煙用操作部材１５３中の図示されないドラムに捲回したワイヤー２５は例えば建屋壁面に配置した図示されない滑車等の案内部材に導かれて滑車９３に巻き掛けられる。滑車９３に向って巻き掛けられる部分のワイヤー２５ａは下枠７に平行して張設されている。滑車９３は上段・連動桿３２上に固設した上下方向の軸に回転自在に支持されている。従って、滑車９３は上段・連動桿３２に随伴して移動する。滑車９３に巻き掛けられた部分のワイヤー２５ａはたすき掛けに滑車９４に巻き掛けられる。滑車９４は下枠７の内側材７ｂに固定された支持板９５に設けた垂直方向の軸に回転自在に支持されている。滑車９４から退出したワイヤー２５（符号２５ｂで示す）は下枠７に平行して延びる。左右の窓の滑車９３，９４は方立６Ａを中心にして左右対称に配列されている。ワイヤー２５は方立６Ａの左右の滑車９３，９４に対称に巻き掛けられている。図５（ｂ）に示すようにワイヤー２５の端末２５ｃは図示されない部材を介して下枠７に固定されている。
【００８９】
なお、単窓の場合も、ワイヤー２５の配列の向きは、図５（ｂ）、図３５と同じである。そして、図３９に示すように滑車９４に巻き掛けた後のワイヤー２５ａは任意の位置２５ａｅで図示されない部材に固定される。更には上記において滑車９３に巻き掛けられた後のワイヤー２５ａは滑車９４をなくして図示されない部材に固定することもできる。
【００９０】
図５（ｂ）、図３５でワイヤー２５は操作部材１５３のドラムに巻き取られてワイヤー２５ａは最も左行した左行限位置にある。操作部材１５３のドラムからワイヤー２５が巻き出されるとワイヤー２５ａは弛むので引張コイルばね７２のばね力で上段・連動桿３２は図３５において右行する。同時にワイヤー２５ｂは弛むので連窓右側の窓の上段・連動桿３２は左行する。即ち、方立６Ａを中心にして対称位置をとり乍左右の窓の上段・連動桿３２は互に近づき、遠のくように移動する。
（作用）
【００９１】
障子２は開いて自然風力に従って開度を変化して換気している第１の状態と、障子２が施錠可能とされている第２の状態と、障子２が排煙等するために大きく開いている第３の状態とをとる。障子２をこれらの状態とするため、たて・連動桿２２は第１、第２、第３の状態に対応して第１、第２、第３の位置をとる。これらの状態変化の作用について以下説明する。
【００９２】
障子２が開いて自然風力で換気されている状態においては、換気用操作部材１５２から導き出され滑車２６の上側に巻き掛けられて下方へ垂下して端部が開口枠１側に固定されているワイヤー２４Ａは限定的に弛んでおり、たて・連動桿２２は引張コイルばね３７のばね力で上昇し、たて・連動桿２２は中間の第１の位置にある。
【００９３】
図１０に示すようにたて・連動桿２２が中間位置にあるとき、障子２は釣合いおもり１７と釣合った状態で上框８を室内側に遠ざけ、下框１１を外部側へ向って窓面より遠ざけるように傾いている。この傾きは既にのべたように垂直方向に対して４５度程度である。このときピンローラ３ａ３はシフタ３４の上ヨーク３４ｂに接するか接近している。外部から障子２に向って風が吹くと障子２は正圧を受け軸受装置３の軸３ｂを中心にして上框８側が室外側へ、下框１１側が室内側へ向い傾く角度が小さくなる。風力の消長により障子２の開度が変化する。障子２に負圧の風圧が加わった場合は正圧の風圧の場合と逆に障子２は軸３ｂを中心にして図１０において時計回りに回転しようとする。このとき上ヨーク３４ｂとピンローラ３ａ３との間は隙間がないか小隙間であるので、障子２は時計回りに回転しない又は小回転のみ許される。
【００９４】
上記のように自然風力換気が行われている際は、図６、図７においてワイヤー２４Ｂは弛んでおり引張コイルばね４９のばね力で横・連動桿２７は右行端にあり、トリガー２８は平面で見て横・連動桿２７と長手方向が一致しており、トリガー２８はストッパ４６と係合している。滑車５４は滑車５５から最大限離れている。
【００９５】
障子２を閉めるとき例えば強風時には、操作部材１５２を操作するとワイヤー２４は引かれ、図１２においてワイヤー２４Ａは引張コイルばね３７のばね力に抗して下方に移動する。これによって滑車２６は下方へ移動し、滑車２６と共にたて・連動桿２２は移動する。このときワイヤー２４Ａの変位に対して滑車２６の変位は半分であるから、滑車２６に加わる引張コイルばね３７のばね力及びたて・連動桿２２とガイドレール２１間の摺動抵抗、障子２を支持する軸３ｂと軸受３ａ間の軸受摩擦、障子２の慣性抵抗等の合計した力に対して軽い力で操作部材１５２で操作可能である。
【００９６】
たて・連動桿２２が下降すると上ヨーク３４ｂはピンローラ３ａ３を押し下げアーム３ａ１及び障子２は軸３ｂを中心にして回転し、障子２の下框１１は外部側から室内側へ向って揺動し上框８は室内側から外部側へ向って揺動し、障子２の下框１１と下枠７間は見込方向で近ずく。下框１１と下枠７間がわずかな隙間となり障子２が閉じた第２の位置となる。これに伴って障子２の下框１１に固定してあるロックピン部２９のカム部２９ｓがトリガー２８のカム作動子２８−２に作用して図１５に示すようにトリガー２８をねじりコイルばね２８ｄのばね力に抗してピン２８ｂを中心にし時計回りに回転する。横・連動桿２７に固定されたストッパ４６に係合しているストッパ止め２８−１がストッパ４６から外れる。たて・連動桿２２はストッパ２１ｂに当り止る。
【００９７】
操作部材１５２のワイヤー２４Ａの巻取り後にワイヤー２４Ｂは巻き取られる。リターン滑車９１,９２によって引く方向が反対方向となったワイヤー２４Ｂによって滑車５４は図７において左行し、横・連動桿２７が引張コイルばね４９のばね力に抗して左行する。これに伴って板カム４５ｃが左行しロックピン部２９の受金であるピン部２９ｂを室内側へ移動し、ピン部２９ｂが掛金である板カム４５ｃのカムトップに乗り上げる（図１８参照）。このとき障子２は閉った状態であり施錠される。この際、シフタ３４の上ヨーク３４ｂから軸受装置３のピンローラ３ａ３は下方に離れる。
【００９８】
操作部材１５２に巻き取られたワイヤー２４Ｂを自由にすると上述した処と逆に横方向のワイヤー２４Ｂは弛むので、引張コイルばね４９のばね力で横・連動桿２７は図６、図７、図１８において右行する。横・連動桿２７の右行と共に滑車５４、板カム４５ｃは右行する。これによってロックピン部２９のピン部２９ｂは板カム４５ｃのカム面４５ｃ１に沿って外部側へ釣合いおもり１７と障子２の釣合う位置に向って移動する。ピン部２９ｂがカム面４５ｃ１から離れると障子２は解錠となる。一方、横方向のワイヤー２４Ｂの弛みと共にたて方向のワイヤー２４Ａも操作部材１５２の作用で弛められるので、たて・連動桿２２は引張コイルばね３７のばね力で上方に付勢移動される。換気用操作部材１５２がワイヤー２４Ａの巻き出しを停止し、たて・連動桿２２は中間位置で停止する。これによってたて・連動桿２２と共に上昇したシフタ３４は軸受装置３との関係位置が自然風力換気窓となる中間位置（図１０に示す位置）となり、障子２は自然風力の消長に応じて開度を変える。
【００９９】
かかる、たて・連動桿２２の上昇と横・連動桿２７の右行は連動して行われ、図１５において実線位置にあるトリガー２８はロックピン部２９が外部側へ移動するにつれ、ねじりコイルばね２８ｄのばね力でピン２８ｂを中心にして反時計回りに回動し、横・連動桿２７と共に移動して来たストッパ４６とストッパ止め２８‐１が係合する。トリガー２８がストップピン２８ｅに当ることによりトリガー２８は、横・連動桿２７と長手方向を一致させて重なる。
（障子閉鎖、又は自然換気状態からの強制開放）
【０１００】
窓からの排煙をするときは、排煙用の操作部材１５３を解除操作するとワイヤー２４，２５は換気用操作部材１５２と排煙用操作部材１５３からそれぞれ引出され自由とされる。ワイヤー２４Ｂが緩むと既に述べたように障子２は解錠される。ワイヤー２５が滑車９３を介して連結されている上段・連動桿３２は図３４（ａ）の状態から引張コイルばね７２（図６参照）のばね力で右行する。上段・連動桿３２の右行と同時に上段・連動桿３２に固定してある直動カム７４は右行する。同時に上段・連動桿３２に固定してあるドッグ７６は下段・連動桿３３に固定してあるドッグ７７から離れる方向に右行する（図３４（ｂ）参照）。そして、直動カム７４のカムトップ７４ｃにねじりコイルばね８５のばね力で加圧されているアーム支持軸８３を中心にして反時計回りに付勢されている下枠側アーム８４の先端のピン７５はそのピンローラ７５ｂ（図２５参照）を軸部７５ａの上で回転しカムトップ７４ｃ上で転動する（図３４（ｂ）参照）。
【０１０１】
ドッグ７７がドッグ７６から離れると引張コイルばね９０で右方に向って付勢されている下段・連動桿３３は右行を開始する。従って上段・連動桿３２を付勢している引張コイルばね７２と下段・連動桿３３を付勢している引張コイルばね９０のばね力、上段・連動桿３２及び下段・連動桿３３に結合されている部材の慣性モーメント、及び上段・連動桿３２とガイドレール６９、下段・連動桿３３とガイドレール７１間の摺動抵抗、障子２を開く抵抗の合計の差によっては、ドッグ７７と７６は夫々離れ共に移動したり、ずっと当接したまま移動したりする。
【０１０２】
図３４（ｂ）の状態から上段・連動桿３２が右行するとピン７５はカム面７４ｂを転動して下る。ピン７５がカム面７４ｂを下ることによって下枠側アーム８４はアーム支持軸８３を中心にしてねじりコイルばね８５のばね力で反時計回りに回動する。同時に下枠側アーム８４の先端下側のストッパ８４ｂは下段・連動桿３３に固定してあるロック片７９に係止される。そして、上段・連動桿３２は更にわずかに進み、上段・連動桿３２に小ねじ４４ｂで固定されているストッパ４４ａに当り停止する。
【０１０３】
下段・連動桿３３が右行するとコーナーガイド３１を介して方立６Ａ側のたて・連動桿２２Ａはたて・連動桿２２Ａを上方に付勢している引張コイルばね３７のばね力で上昇方向（矢印イと反対方向）に移動する。これによってシフタ３４の下ヨーク３４ｃはピンローラ３ａ３、軸受装置３のアーム３ａ１の先端を上昇させてアーム３ａ１は軸３ｂを中心にして上昇方向に回転する。これによって障子２は下框１１が外部側へ向って移動し、上框８が室内側に向って移動し、障子２は開く、たてガイドレール２１に固定された図１３に示したストッパ２１ｂにたて・連動桿２２，２２Ａの上端が当接して障子２は大きく開いた状態となる。このとき障子２は壁面に対して例えば４５度傾いていて仕様上全開となる。障子２の全開と共に接続アーム部８１とロック片７９が係合しているので、障子２を閉める方向に強風が吹いたとしても障子２は開いた状態で不動となり全開の開放状態が維持される（図３４（ｃ）参照）。
【０１０４】
全開状態の障子２は排煙用操作部材１５３を操作すると自然風力状態における換気が行われる位置に戻る。以下、説明する。該操作部材１５３を操作してワイヤー２５を引くと、上段・連動桿３２は図３５（ｃ）において右方に向って付勢している引張コイルばね７２のばね力に抗して左行する。直動カム７４のカム面７４ｂがピン７５に接した後はピン７５を上昇させる。ピン７５の上昇につれて下枠側アーム８４はアーム支持軸８３を中心にしてねじりコイルばね８５のばね力に抗して上方に回動し、接続アーム部８１の先端下のストッパ８４ｂはロック片７９から外れる。
【０１０５】
ストッパ８４ｂに移動を制止されていたロック片７９が固定された下段・連動桿３３は下段・連動桿３３を右方へ向って付勢している引張コイルばね９０のばね力で右行してコーナーガイド３１を通じて方立６Ａ側のたて・連動桿２２Ａを上方へ移動した限度位置のままで動かない。係る、上段・連動桿３２が左行を続けるとドッグ７６がドッグ７７に接する（図３４（ａ）参照）。その後上段・連動桿３２は下段・連動桿３３を随伴して各引張コイルばね７２，９０のばね力に抗して左行する。これによって、たて・連動桿２２Ａは下降し、軸受装置３を介して障子２を全開から自然風力換気状態の開度とする。係る、障子２の全開から自然風力換気状態の開度とする動作は方立６Ａでない側の竪枠６の側のたて・連動桿２２でも同期して行われる。この同期作用は操作部材１５３がワイヤー２５を引くことに連動して行われる。
【０１０６】
たて・連動桿２２Ａの停止した状態においては、たて・連動桿２２Ａに固定したシフタ３４の上ヨーク３４ｂ、下ヨーク３４ｃは軸受装置３のアーム３ａ１の先端のピンローラ３ａ３とは障子２が無風状態で釣合いおもり１７と釣り合って外部側から障子２に吹き付ける自然風力によって揺動可能なように間があいている。たて・連動桿２２側も同様である。
【０１０７】
かかる排煙のための障子２の全開が排煙用操作部材１５３で行われる際に、排煙用操作部材１５３に連動した換気用操作部材１５２により障子２の解錠が行われる。
【０１０８】
操作部材１５３によるワイヤー２５の巻き出しと同時又は先行してワイヤー２４も巻き出されるので、先にのべたようにして障子２の図６における左側の竪枠６における軸受装置３とシフタ３４は障子２が自然風力により揺動する位置となる。
自然風力換気状態の障子２を閉めてロックすることは先述した処であり、換気用操作部材１５２とワイヤー２４を有する操作装置で作動する。
【０１０９】
上述しましたように、この自然風力換気窓は自然換気状態、施錠状態から排煙のために障子の全開ができる。そして、このとき、障子の全開はばね力によっているので、非常の際に停電していても作動するようにすることが可能である。
[他の実施例]
（ロックピン回り）
【０１１０】
図２７はロックピン部回りの他の実施例を示す平面図、図２８は図２７の側面図である。下枠７に小ねじ９６ａにより下側の上下方向のリップ９６ｂが固定されたブラケット９６は上側の水平方向のフランジ９６ｃに上下方向の軸心を持つピン９６ｄ（図２８では図略）が植設してある。ブラケット９６は図２８に示すように下側のフランジ９６ｅは横・連動桿２７を嵌合したガイドレール２１を支持している。
【０１１１】
ピン９６ｄにはフック９７が回動自在に嵌合してある。フック９７は障子側のピン部２９ｂに係脱可能な先端を有する。フック９７にはピン９６ｄの中心をとおる線の方向に長い長穴９７ａが設けてある。この長穴９７ａには横・連動桿２７上に立設したピン９８が嵌合してある。ピン９８は下端の縮径したおねじが横・連動桿２７を貫通して横・連動桿２７の裏面側に嵌め込んだ裏板９９にねじ込んである。裏板９９は横・連動桿２７に小ねじ９９ａにより固定されている。
【０１１２】
たて・連動桿２２の下降により障子２がほぼ閉まった後は横・連動桿２７は図２７において左行する。するとピン９８は左行して点線位置にあるフック９７をピン９６ｄを中心にして反時計回りに回動してピン部２９ｂを室内側へ引寄せて障子２をロックする。このときピン９８は長穴９７ａの縁を加圧し乍移動する。ピン部２９ｂに対するフック９７の係止の解除は、横・連動桿２７の図２７において右行によりピン９６ｄを中心にフック９７は時計回りに回動して行われる。
（軸受装置回り）
【０１１３】
たて・連動桿２２の位置により、障子２は自然風力に応じて揺動する位置と、障子２がほぼ閉じる位置と、強制的に全開させる位置をとることができる。障子２が自然風力で開閉動作をするためにはその回動を拘束されない必要がある。そのため、たて・連動桿２２の不動位置においてたて・連動桿２２と障子２との間の駆動伝達部材には自然風力換気とされる状態で遊びが必要とされる。
このように作用できる他の実施例について説明する。
【０１１４】
図３６は軸受装置１０３回りを見付方向から見る他の実施例の正面図である。枠側に固定された軸３ｂに回転自在に嵌合する軸受１０３ａはアーム状に二又にのびて先端がヨーク状でアームは上ヨーク１０３ａ１、下ヨーク１０３ａ２に分れており、見付方向から見てたて・連動桿２２と重なって見える。たて・連動桿２２に植設されたピン１０１は上ヨーク１０３ａ１、下ヨーク１０３ａ２間に遊びを設けて配設されている。軸受１０３ａは障子２に固定されている。
【０１１５】
作用は障子２が自然風力で開閉する際は、上ヨーク１０３ａ１、下ヨーク１０３ａ２は軸３ｂを中心に揺動する。ピン１０１はこの動きを妨げない。障子２を閉める際はピン１０１は下降して下ヨーク１０３ａ２を下方に移動させる。障子２を強制的に開放する際はたて・連動桿２２、ピン１０１は上昇して上ヨーク１０３ａ１を押し上げる。
【０１１６】
図３７は軸受装置１１３回りを見付方向から見る参考例の正面図である。この参考例では軸１１３ｂは障子２の竪框９に固定されると共に竪枠６に回転自在に支持されている。軸１１３ｂに回転自在に嵌合する軸受１１３ａはアーム１１３ａ１の先に軸１１３ｂの中心から半径方向外方に向って開口する溝１１３ａ２が設けてある。溝１１３ａ２にはたて・連動桿２２に植設したピン１０２が溝１１３ａ２の深さ方向に相対移動可能なように丁度嵌合している。
【０１１７】
軸１１３ｂに嵌合する軸受１１３ａの軸受面１１３ａ４には周方向に円弧形の溝１１３ａ５が設けてある。軸１１３ｂの外周には溝１１３ａ５内にあるようにストッパ１１３ｂ１が植設してある。溝１１３ａ５とストッパ１１３ｂ１間は軸１１３ｂの周方向に関し遊びがある。ストッパ１１３ｂ１はピン又はキーである。ストッパ１１３ｂ１がキーの場合には溝１１３ａ５は軸受１１３ａを軸方向に貫通させる。
【０１１８】
たて・連動桿２２の上昇によりピン１０２が上昇方向に移動した際は軸受１１３ａは軸１１３ｂを中心に時計回りに回転する。溝１１３ａ５の一端１１３ａ６がストッパ１１３ｂ１に当って障子２は時計方向に回り開く。たて・連動桿２２が下降するとピン１０２は下降し軸受１１３ａは軸１１３ｂを中心にして反時計周りに回転して溝１１３ａ５の他端１１３ａ７はストッパ１１３ｂ１に当り軸１１３ｂは反時計回りに回転して障子２は閉まる。図３７の状態では障子２は自然風力換気状態である。
なお、図３７の例で軸１１３ｂを竪枠に固定し、軸受１１３ａを障子２に固定してもよい。
（弾性部材）
【０１１９】
図略しているが、弾性部材は、連動桿２２、２７、３２、３３の付勢方向が同一であれば引っ張りでも圧縮でもよく、圧縮ばねやダンパー等を使用してもよい。なお、その場合は、弾性部材の取り付け位置が実施例と対称になる。
【符号の説明】
【０１２０】
１…開口枠
２…障子  
３…軸受装置  ３ａ…軸受  ３ａ１…アーム  ３ａ２…ピン軸  ３ａ３…ピンローラ  ３ｂ…軸  ３ｃ…小ねじ  ３ｄ…スタンド
５…上枠  
６…竪枠  ６Ａ…方立  ６Ａ１…結合部材  ６ａ…条溝  ６ｂ…突条  ６ｃ…内側材  ６ｃ１…スリット  ６ｃ２…スリット  ６ｄ…周材  
７…下枠  ７ａ…条溝  ７ｂ…内側材  
８…上框  ８ａ…内側材  ８ｂ…内周材  
９…竪框  ９ａ…内側材  
１１…下框  １１ａ…内側材  １１ｂ…内周材  １１ｃ…中空部  １１ｄ…外周材  １１ｅ…小ねじ  １１ｆ…下板
１２…シール材  
１３…ガラス
１５…気密パッキン  
１６…気密パッキン
１７…釣合おもり  １７ａ…ブラケット  １７ｂ，１７ｃ…小ねじ  １７ｄ…裏板  １７ｅ…横架材
１８ａ…締結部材  １８ｂ…締結部材  
１９…調節用おもり
２１…ガイドレール  ２１ａ…小ねじ  ２１ｂ…ストッパ  ２１ｃ…小ねじ
２２，２２Ａ…たて・連動桿  ２２ａ…裏板  ２２Ａａ…裏板  
２４，２４Ａ，２４Ｂ…ワイヤー（換気用）  ２４ａ…他方端側  
２４Ｂｅ…ワイヤーエンド
２５，２５ａ，２５ｂ…ワイヤー（換気用操作部材）  ２５ｃ…端末
２６…滑車（たて用）  ２６ａ…滑車（たて横方向切換用）
２７…横・連動桿  ２７ｂ…裏板
【０１２１】
２８…トリガー    ２８Ａ…トリガーアッセンブリ  ２８ａ…ブラケット    ２８ａ１…穴  ２８ｂ…ピン  ２８ｃ…ボス  ２８ｄ…ねじりコイルばね  ２８ｄ１…一端  ２８ｄ２…他端  ２８ｅ…ストップピン  ２８ｆ…裏板  ２８ｇ…小ねじ  ２８−１…ストッパ止め  ２８−２…カム作動子  
【０１２２】
２９…ロックピン部  ２９ａ…ブラッケット  ２９ａ１…たて材  ２９ａ２…横材  ２９ａ３…取付部    ２９ｂ…ピン部  ２９ｃ…ピン軸  ２９ｃ１…固定部  ２９ｃ２…軸受部  ２９ｃ３…つば  ２９ｄ…ローラ  ２９ｅ…小ねじ  ２９ｓ…カム部  
３０…上下連動桿接続部  
【０１２３】
３１…コーナーガイド  ３１ａ…コーナーガイド本体  ３１ａ１…ガイド穴  ３１ａ２…ガイド穴  ３１ａ３…ガイド穴  ３１ｂ…横滑動片  ３１ｂ１…スライド部  ３１ｃ…たて滑動片  ３１ｃ１…スライド部  ３１ｄ…可撓性部材  ３１ｅ…小ねじ  ３１ｆ…小ねじ  ３１ｇ…取付部  ３１ｈ…取付部  ３１ｉ…小ねじ
３２…上段・連動桿
３３…下段・連動桿
３４…シフタ  ３４ａ…ベース  ３４ｂ…上ヨーク  ３４ｃ…下ヨーク  ３４ｄ…小ねじ  
３５…支板  ３５ａ…小ねじ  
３６…ばね掛け
３７…引張コイルばね（たて）
３８…ばね掛け  ３８ａ…ベース
３９…小ねじ
４１…裏板
４２…軸
４３…ブラケット
４４…ガイドレール  ４４ａ…ストッパ
４５…ロックピン受け  ４５ａ…小ねじ  ４５ｂ…ベース  ４５ｃ…板カム  ４５ｃ１…カム面    ４５ｄ…裏板
４６…ストッパ  ４６ｂ…小ねじ  ４６ｃ…一端  
４７…ばね掛け  ４７ａ…ベース  ４７ｂ…ばね掛けピン  
４８…小ねじ
４９…引張コイルばね
５１…ばね掛け  ５１ａ…ばね掛けピン  ５１ｂ…ベース
５２…支持板  
５３…支持板  
５４…滑車（横・連動桿用）
５５…滑車（横・連動桿用）
５６…支持台  ５６ａ…フランジ
５７…ピン
５８…支持台  ５８ａ…フランジ
５９…ピン
６１…小ねじ
６２…裏板
６３…台
６４…小ねじ
６５…ブラケット
６６…小ねじ
６７…ブラケット
６８…取付面
６９…ガイドレール  ６９ａ…長穴  
７１…ガイドレール  
７２…引張コイルばね（上段）
７３…ばね掛け
７４…直動カム  ７４ａ…小ねじ  ７４ｂ…カム面  ７４ｃ…カムトップ  
７５…ピン  ７５ａ…軸部  ７５ｂ…ピンローラ
７６…ドッグ  ７６ａ…小ねじ  ７６ｂ…フランジ
７７…ドッグ  ７７ａ…ベース  ７７ｂ…小ねじ  ７７ｃ…緩衝材
７８…裏板
７９…ロック片  ７９ａ…小ねじ
８０…ばね掛け
８１…接続アーム部  
８２…フレーム  ８２ａ…ボス  ８２ｂ…ばね受け  ８２ｃ…取付座部  ８２ｄ…小ねじ  ８２ｅ…裏板  ８２ｆ…取付座部  ８２ｇ…小ねじ
８３…アーム支持軸  
８４…下枠側アーム  ８４ａ…ばね受け  ８４ｂ…ストッパ
８５…ねじりコイルばね  ８５ａ…一端  
８７…ブラケット（コーナーガイド取付用）  ８７ａ…小ねじ  
８８…ブラケット（コーナーガイド取付用）  ８８ａ…小ねじ
８９…支持板    ８９ａ…小ねじ
９０…引張コイルばね（下段）
９１…リターン滑車（横・連動桿用）
９２…リターン滑車（横・連動桿用）
９３…滑車（上段・連動桿用）
９４…滑車（上段・連動桿用）
９５…支持板
９６…ブラケット  ９６ｂ…リップ  ９６ｃ…フランジ  ９６ｄ…ピン  ９６ｅ…フランジ  
９７…フック  ９７ａ…長穴
９８…ピン
９９…裏板  ９９ａ…小ねじ
１０１…ピン
１０２…ピン
１０３…軸受装置  １０３ａ…軸受  １０３ａ１…上ヨーク  １０３ａ２…下ヨーク  
【０１２４】
１１３…軸受装置  １１３ａ…軸受  １１３ａ１…アーム  １１３ａ２…溝  １１３ａ４…軸受面  １１３ａ５…溝  １１３ａ６…一端  １１３ａ７…他端  １１３ｂ…軸  １１３ｂ１…ストッパ
【図１】
0005917120.tif 000002
【図２】
0005917120.tif 000003
【図３】
0005917120.tif 000004
【図４】
0005917120.tif 000005
【図５】
0005917120.tif 000006
【図６】
0005917120.tif 000007
【図７】
0005917120.tif 000008
【図８】
0005917120.tif 000009
【図９】
0005917120.tif 000010
【図１０】
0005917120.tif 000011
【図１１】
0005917120.tif 000012
【図１２】
0005917120.tif 000013
【図１３】
0005917120.tif 000014
【図１４】
0005917120.tif 000015
【図１５】
0005917120.tif 000016
【図１６】
0005917120.tif 000017
【図１７】
0005917120.tif 000018
【図１８】
0005917120.tif 000019
【図１９】
0005917120.tif 000020
【図２０】
0005917120.tif 000021
【図２１】
0005917120.tif 000022
【図２２】
0005917120.tif 000023
【図２３】
0005917120.tif 000024
【図２４】
0005917120.tif 000025
【図２５】
0005917120.tif 000026
【図２６】
0005917120.tif 000027
【図２７】
0005917120.tif 000028
【図２８】
0005917120.tif 000029
【図２９】
0005917120.tif 000030
【図３０】
0005917120.tif 000031
【図３１】
0005917120.tif 000032
【図３２】
0005917120.tif 000033
【図３３】
0005917120.tif 000034
【図３４】
0005917120.tif 000035
【図３５】
0005917120.tif 000036
【図３６】
0005917120.tif 000037
【図３７】
0005917120.tif 000038
【図３８】
0005917120.tif 000039
【図３９】
0005917120.tif 000040